(57)【要約】      （修正有）【課題】複数の搬送ローラによる用紙搬送系を備え、簡単な構成で、用紙のジャム処理を容易に行うことができる画像形成装置を提供する。【解決手段】複数の搬送ローラ２４，２５，２７を含む用紙搬送系を備えた画像形成装置であって、前記複数の搬送ローラ２４，２５，２７は、駆動源側から駆動伝達される駆動主体搬送ローラ２４と、該駆動主体搬送ローラ２４からベルト９８により駆動伝達される被駆動搬送ローラ２５，２７とよりなり、前記ベルト９８による駆動伝達系の途中には、手操作により、該ベルト９８をして、前記複数の搬送ローラ２４，２５，２７を一括して回転させる為のジャム解除ダイヤル１４が介在されている。【選択図】図４
2010041464.tif 000002
【特許請求の範囲】
【請求項１】
複数の搬送ローラを含む用紙搬送系を備えた画像形成装置であって、
前記複数の搬送ローラは、駆動源側から駆動伝達される駆動主体搬送ローラと、該駆動主体搬送ローラからベルトにより駆動伝達される被駆動搬送ローラとよりなり、
前記ベルトによる駆動伝達系の途中には、手操作により、該ベルトをして、前記複数の搬送ローラを一括して回転させる為のジャム解除ダイヤルが介在されていることを特徴とする画像形成装置。
【請求項２】
請求項１に記載の画像形成装置において、
前記ジャム解除ダイヤルは、前記ベルトにテンションを付与する為のテンションプーリーも兼ねるよう構成されていることを特徴とする画像形成装置。
【請求項３】
請求項２に記載の画像形成装置において、
前記ジャム解除ダイヤルは、前記ベルトが巻き掛けられるプーリー部と、該プーリー部と同心で一体に形成されたダイヤル本体部とよりなり、テンション付与方向に弾力付勢状態で装備されたブラケットに回転可能に支持されていることを特徴とする画像形成装置。
【請求項４】
請求項１〜３のいずれかに記載の画像形成装置において、
原稿堆積部から原稿を１枚ずつ繰出し、途中の画像読取部で画像を読取らせて排出させるよう機能する自動原稿送り装置を備え、前記用紙搬送系は、該自動原稿送り装置の一部を構成することを特徴とする画像形成装置。
【発明の詳細な説明】
【技術分野】
【０００１】
本発明は、用紙搬送系を備えた画像形成装置であって、詳しくは、例えば、自動原稿送り装置（ＡＤＦ）で原稿を順次搬送し、途中に設置された原稿読取部で原稿を読取らせて排出させるよう構成された原稿読取装置における原稿ジャム解除の機構に関する。
【背景技術】
【０００２】
上記のような画像形成装置としては、ファクシミリ装置、複写装置、或いはプリンタ機能も備えた複合機が挙げられる。これらの画像形成装置の大半は、原稿堆積部（原稿トレイ）から原稿を１枚ずつ繰出し、原稿搬送路の途中に設置された画像読取部で画像を読取らせて排出させるよう機能するＡＤＦを備えている。このようなＡＤＦにおいては、複数の搬送ローラを湾曲する原稿搬送路に沿って適宜間隔をおいて配置し、これら複数の搬送ローラに対して、駆動源としてのモータからギヤあるいはベルト等の駆動伝達手段を介して駆動伝達がなされる（例えば、特許文献１参照）。そして、特許文献１に開示されたＡＤＦの原稿の搬送系では、いずれかの搬送ローラにギヤで連結された操作ノブが配置されている。この操作ノブは、手操作により回転させることができ、前記搬送ローラによる搬送系で原稿ジャムが発生したときに、この操作ノブを回転操作して前記搬送ローラを強制回転させることによって、ジャム原稿を取出し得るよう構成されたものである。
【０００３】
また、特許文献２には、記録紙の搬送系を構成する２本の搬送ローラを駆動させる為の駆動手段とは別の独立ベルトと、該ベルトが巻き掛けられたノブとによるジャミング処理手段が開示されている。すなわち、前記独立ベルトは、前記搬送ローラの１方と、他方のローラに駆動連結される滑車と、前記ノブとに巻き掛けられ、ノブを回転操作することによって２本の搬送ローラを互いに逆方向（記録紙が弛む方向）に強制回転させ得るよう構成されている。この両搬送ローラの逆方向の強制回転により、ジャム記録紙を両搬送ローラ間に落下させて取り出すことができるとされている。
【特許文献１】特開２００５−２１０１８４号公報
【特許文献２】特開２００７−５５７８０号公報
【発明の開示】
【発明が解決しようとする課題】
【０００４】
ところで、特許文献１のように、操作ノブを搬送ローラの１つとギヤを介して連結して原稿ジャム処理手段を構成する場合、操作ノブの回転方向と搬送ローラの回転方向とを同一とする為に、アイドラギヤを１個介在させる必要がある。もし、アイドラギヤを介在させない場合は、操作ノブの回転方向と搬送ローラの回転方向とが互いに逆となる為、操作者は違和感を覚え、ジャム処理操作の円滑性を欠く原因ともなる。また、特許文献２では、２本の搬送ローラを駆動させる為の駆動手段とは別に、これらローラの駆動手段が連結される側とは反対側に独立ベルトにより駆動伝達させる為のプーリーあるいはギヤ等が設けられている。その為、これらプーリーあるいはギヤ等と、独立ベルトと、ノブとによって、前記駆動手段から実質的に独立したジャム処理手段が構成されることなり、部品点数の大幅な増大となることが予想される。
【０００５】
本発明は、上記実情に鑑みなされたものであり、複数の搬送ローラによる用紙搬送系を備え、簡単な構成で、用紙のジャム処理を容易に行うことができる画像形成装置を提供することを目的としている。
【課題を解決するための手段】
【０００６】
本発明に係る画像形成装置は、複数の搬送ローラを含む用紙搬送系を備えた画像形成装置であって、前記複数の搬送ローラは、駆動源側から駆動伝達される駆動主体搬送ローラと、該駆動主体搬送ローラからベルトにより駆動伝達される被駆動搬送ローラとよりなり、前記ベルトによる駆動伝達系の途中には、手操作により、該ベルトをして、前記複数の搬送ローラを一括して回転させる為のジャム解除ダイヤルが介在されていることを特徴とする。
【０００７】
本発明の画像形成装置において、前記ジャム解除ダイヤルを、前記ベルトにテンションを付与する為のテンションプーリーも兼ねるよう構成しても良い。この場合、前記ジャム解除ダイヤルを、前記ベルトが巻き掛けられるプーリー部と、該プーリー部と同心で一体に形成されたダイヤル本体部とより構成し、テンション付与方向に弾力付勢状態で装備されたブラケットに回転可能に支持させるようにしても良い。
【０００８】
また、本発明の画像形成装置は、原稿堆積部から原稿を１枚ずつ繰出し、途中の画像読取部で画像を読取らせて排出させるよう機能する自動原稿送り装置（ＡＤＦ）を備えた画像形成装置において、前記用紙搬送系が、該ＡＤＦの一部を構成するようにしても良い。
【発明の効果】
【０００９】
本発明の画像形成装置によれば、ジャム解除ダイヤルを手操作で回転させることによって、ベルトをして、用紙搬送系を構成する複数の搬送ローラを一括して回転させることができるから、該用紙搬送系でのジャム用紙の取り出しが容易になされる。そして、ジャム解除ダイヤルは、前記複数の搬送ローラを駆動する為のベルトによる駆動伝達系に組み入れ介在させるだけであるから、搬送ローラを駆動させる為のベルトがジャム処理の機構をも構成することになり、部品点数の増大を伴うことがない。このように、簡単な構造でジャム処理の機構を構成することができるから、複数の搬送ローラの駆動伝達をベルトによって行うようにした既存の用紙搬送系にも簡易に適用することができる。
【００１０】
また、前記ジャム解除ダイヤルを、前記ベルトにテンションを付与する為のテンションプーリーも兼ねるよう構成すれば、用紙ジャム処理の為の機構を含む駆動伝達系が簡易に構成される。特に、ベルトによる駆動伝達機構にはテンション付与手段を組み込むことが不可避であるから、このテンション付与手段にジャム解除ダイヤルを充当させることによって、前記搬送ローラの駆動伝達系とジャム解除機構とが簡易に確立され、極めて有益である。この場合、前記ジャム解除ダイヤルを、前記ベルトが巻き掛けられるプーリー部と、該プーリー部と同心で一体に形成されたダイヤル本体部とより構成すれば、２つの機能を備えたジャム解除ダイヤルを簡易に作成することができる。また、このジャム解除ダイヤルを、テンション付与方向に弾力付勢状態で装備されたブラケットに回転可能に支持させるようにすれば、テンション付与の為のブラケットもベルトによる駆動伝達系には不可避であるから、トータルとしての部品点数の削減に寄与する。
【００１１】
さらに、前記用紙搬送系がＡＤＦの一部を構成する場合、ＡＤＦ用の駆動機構部は、限られたスペースの中に、当該用紙（原稿）搬送系用の駆動伝達系以外の他の多くの駆動伝達系も組み込まれて構成されるから、前述のように簡易に構成される実益は極めて大である。原稿の裏面を読取る為の読取部も装備されたＡＤＦにおいては、一層前記スペースが制約されることになる為、特に有益である。
【発明を実施するための最良の形態】
【００１２】
以下に本発明の最良の実施の形態について、図面に基づいて説明する。図１は本発明に係る一実施形態の画像形成装置を示す概略的縦断面図、図２は図１におけるＸ部に相当するＡＤＦ部の拡大断面図、図３は図２のＡＤＦを構成する各機構部のリヤ側に構成された駆動伝達機構の構成図、図４は同フロント側に構成された駆動伝達機構の構成図、図５は図４におけるＹ−Ｙ線矢視拡大断面図である。
【００１３】
図１に示す画像形成装置１は、複写機能、ファクシミリ機能及びプリンタ機能を兼ね備えた所謂複合機であるが、複写装置、ファクシミリ装置或いはプリンタ装置として具現化されるものであっても良い。図例の画像形成装置１は、上部より自動原稿（用紙）送り装置（ＡＤＦ）２、画像読取部３、画像記録部４及び記録紙（用紙）供給部５が積層状態で構成されている。画像読取部３は、ＡＤＦ読取部３１と平板式読取走査部（ＦＢＳ）３２とにより構成され、図１は、読取走査装置３０が、ＡＤＦ２によって順次搬送される原稿（用紙）の表面画像を読取るべくＡＤＦ読取部３１に静止している状態を示している。ＦＢＳ３２において画像読取を行う場合は、読取走査装置３０がＦＢＳ３２に移動し、プラテンガラス３３の下を左右に往復移動しながら、プラテンガラス３３の上に下向きに置かれた原稿の画像を読取る。
【００１４】
読取走査装置３０は、蛍光灯或いは冷陰極管等からなる光源３０１と、複数のミラー３０２，３０３，３０４と、集光レンズ３０５と、ＣＣＤ（チャージカップルドデバイス）３０６とを走査キャリッジ３００内に搭載して構成されている。走査キャリッジ３００は、画像読取部筐体３４内において、不図示の駆動装置によって、前記ＡＤＦ読取部３１への移動及び静止、ＦＢＳ３２への移動及び往復移動可能に設置されている。そして、各読取部において、光源３０１によって照射された原稿画像は、ミラー３０２，３０３，３０４で反射を繰り返し、集光レンズ３０５で集光され、ＣＣＤ３０６で結像されて電気信号に変換されて送出される。画像読取部筐体３４の前面側には、不図示の操作パネル部が形成され、その表面には各種操作キー及び表示部等が設けられる。図１及び図２では紙面手前側が前面側（フロント側）、奥側が後面側（リヤ側）とされる。ＡＤＦ２の詳細は後記する。
【００１５】
図例の画像記録部４は、クリーナレスシステムの電子写真方式によるプロセス部と定着部とよりなる。このプロセス部は、感光体ドラム４０と、該感光体ドラム４０の周りに配された、帯電器４１、露光器４２、現像器４３、転写器４４及びメモリー除去部材４５とにより構成され、このプロセス部の下流側には定着器４６が設置されている。画像記録部４は、プロセス部においてトナー画像が転写された記録紙を定着器４６において加熱・加圧し、トナー画像を永久画像として定着させ、定着器４６の下流側の排出ローラ対４７より記録済み記録紙を排出トレイ４８に排出させるよう構成されている。感光体ドラム４０と、帯電器４１と、メモリー除去部材４５とは、ドラムユニット４００としてユニット化されている。また、現像器４３は、トナーの収容部を兼ねるハウジング４３１内に、攪拌器４３２、供給ローラ４３３及び現像ローラ４３４を組み込み、現像器ユニット４３０としてユニット化されている。これらユニット４００，４３０は、別体で、或いは一体とされて、装置本体１０に着脱自在に装着され、装置本体１０に装着されたときには、各ユニット４００，４３０を構成する機構部が、装置本体１０内に装備される駆動源或いは電源（不図示）に連結される。
【００１６】
記録紙供給部５は、装置本体１０に形成されたカセット室５０に抜差し可能に装着される記録紙の給紙カセット５１を備える。給紙カセット５１の抜差し方向は、図１の紙面垂直方向に沿った方向の他、装置本体１０の側部から左右方向に沿った方向とすることも可能である。給紙カセット５１の給紙方向前端側壁部は記録紙ガイド壁部５１１とされている。該記録紙ガイド壁部５１１の上面は傾斜面とされ、その中央部にパッド台５２０に支持された分離パッド５２が組み込まれている。給紙カセット５１の前端側には、記録紙の給紙ローラ５３が回転自在に設置されている。該給紙ローラ５３の回転駆動軸５３０は、その一端にカップリング部（不図示）を備え、該カップリング部は、給紙カセット５１が前記カセット室５０に装着された状態では、装置本体１０内の不図示の駆動伝達系に連結されるよう構成される。給紙ローラ５３に対して前記分離パッド５２が弾性的に接し、これにより記録紙の分離給紙部が構成される。
【００１７】
給紙カセット５１内には、ヒンジピン５４を支点として上下揺動可能とされた押上板５５及び該押上板５５の上に堆積される記録紙６の束の後端を規制する位置調整可能なエンドガイド５６が設けられている。押上板５５は圧縮ばね５６によりヒンジピン５４を支点として上向きに弾力が付与された状態とされる。押上板５５の上に堆積される記録紙６の束は、圧縮ばね５６の弾力を受けて、その前端部が給紙ローラ５３の周面に押し付けられた状態とされる。給紙カセット５１内には、その他、図示及び説明を割愛するが、給紙カセット５１として必要な付帯部材、例えば、記録紙６の幅方向を規制するサイドガイド、或いはエンドガイド及びサイドガイドの位置決め部等も装備される。
尚、給紙カセット５１の下に、更にオプションカセット（不図示）を配置し、２段以上のマルチカセットシステムを構成することも可能である。
【００１８】
前記装置本体１０内には、前記記録紙の分離給紙部５２，５３から立ち上がって連なる湾曲状の記録紙搬送路６０が形成され、該記録紙搬送路６０の途中には、搬送ローラ対１１及びレジストローラ対１２が設置されている。給紙カセット５１から分離給紙部５２，５３によって１枚ずつ分離され繰出された記録紙６は、これらローラ対１１，１２によって搬送され、前記感光体ドラム４０と転写ローラ４４とのニップ部に導入され、記録部３によって画像記録がなされるよう構成されている。前記記録紙ガイド壁部５１１の背後には下段カセットからの記録紙の搬送路６００を隔てて、ジャムアクセスカバー（メンテナンス用開閉カバー）１３が取付けられており、このジャムアクセスカバー１３は、装置本体１０の右側壁部に、ヒンジピン１３０を支点として開閉可能に取付けられている。ジャムアクセスカバー１３の内面は、前記記録紙搬送路６０のガイド壁を構成し、該ガイド壁に前記搬送ローラ対１１の一方のローラ（プレスローラ）１１１が回転自在に取り付けられている。従って、記録紙搬送路６０において記録紙ジャムが発生した時には、該ジャムアクセスカバー１３を開けることによりプレスローラ１１１の駆動ローラ１１０に対するニップが解除されるから、ジャム記録紙の取り出しが可能とされる。
【００１９】
上記構成の画像形成装置１による記録紙６に対する画像形成プロセスについて略述する。上記画像読取部３で読取られた画情報、或いはファクシミリやパソコン等の外部端末から送信された画情報が、帯電器４１によって一様に帯電された感光体ドラム４０の表面に、露光器４２によって光情報として書き込まれる。これにより、感光体ドラム４０の表面には光情報に基づく静電潜像が形成される。この静電潜像は、感光体ドラム４０の回転に伴い、現像器４３によって現像されてトナー像とされ、転写器４４とのニップ部に至る。給紙カセット５１内に堆積された記録紙６の束から、最上層の記録紙６が繰出され、分離給紙部５２，５３により、１枚ずつ分離されて、湾曲記録紙搬送路６０に向け給紙される。
【００２０】
分離給紙部５２，５３により分離給紙された記録紙６は、搬送ローラ対１１により湾曲記録紙搬送路６０を搬送されてレジストローラ対１２に至る。記録紙６は、引続きレジストローラ対１２により前記トナー像に同期するようレジストされて感光体ドラム４０と転写ローラ４４とのニップ部に導入され、トナー像が記録紙６上に逐次転写される。記録紙６に転写されたトナー像は、定着器４６によって永久画像として定着され、永久画像が形成された記録紙６は、排出ローラ対４７によって排出トレイ４８上に排出・堆積される。転写部を経た感光体ドラム４０の表面には、若干のトナーが付着残留しており、この残留トナーは、所定のバイアス電位が印加されたメモリー除去部材４５によって掻き乱され、感光体ドラム４０の表面上に分散される。この残留トナーは、その後の露光工程での静電潜像の形成に影響を及ぼすことなく現像器４３に回収される。
【００２１】
ＡＤＦ２は、原稿トレイ（原稿堆積部）２０に置かれた原稿（用紙）束７の上層から原稿７を１枚ずつ分離して、湾曲する原稿の搬送路７０に供給し、２個所のＡＤＦ原稿読取部を経て原稿排出トレイ３７上に排出するよう構成されている。搬送路７０は、略同曲率で湾曲する内外のガイド壁７０１，７０２の間に形成される。原稿トレイ２０に置かれた原稿７は、ピックアップローラ２１によって繰出され、給紙ローラ２２とリタードローラ２２１とのニップ部に導入され、１枚ずつ分離されて搬送路７０に供給される。該搬送路７０に供給された原稿はレジストローラ対２３，２３１によって、後記する画像読取部に同期するようレジストされてさらに下流側に供給される。レジストローラ対２３，２３１の下流側搬送路７０には、第１の搬送ローラ対２４，２４１、第２の搬送ローラ対２５，２５１、表面読取用プラテンローラ２６、第３の搬送ローラ対２７，２７１が設置されている。この第３の搬送ローラ対２７，２７１に引続き、裏面読取用プラテンローラ２８及び排出ローラ対２９，２９１が設置されている。第１の搬送ローラ対２４，２４１、第２の搬送ローラ対２５，２５１及び第３の搬送ローラ対２７，２７１によって原稿（用紙）搬送系８が構成される。
【００２２】
第１の搬送ローラ対２４，２４１及び第２の搬送ローラ対２５，２５１によって搬送される原稿は、表面読取用プラテンローラ２６とコンタクトガラス２６１とのニップ部に導入される。表面読取用プラテンローラ２６はコンタクトガラス２６１に弾性的に押付けられるよう支持され、後記する駆動伝達機構によって回転する。コンタクトガラス２６１の下には前記読取走査装置３０が静止されて、表面原稿のＡＤＦ読取部３１が構成される。そして、表面読取用プラテンローラ２６とコンタクトガラス２６１との間を通過する原稿７の表面画像が読取走査装置３０内の前記読取光学系によって読取られ、電気信号として送出される。表面画像が読取られた原稿は、第３の搬送ローラ対２７，２７１によって搬送され、裏面読取用プラテンローラ２８とコンタクトガラス２８１とのニップ部に導入された後、排出ローラ対２９，２９１によって原稿排出トレイ３７上に排出される。裏面読取の指示がなされているときには、裏面読取用プラテンローラ２８とコンタクトガラス２８１とのニップ部を通過中に、裏面原稿のＡＤＦ読取部３５によって裏面画像の読取がなされる。裏面読取用プラテンローラ２８は、コンタクトガラス２８１に弾性的に押付けられるよう支持され、後記する駆動伝達機構によって回転する。
【００２３】
裏面原稿のＡＤＦ読取部３５は、前記コンタクトガラス２８１を含んでユニット化された裏面読取用走査装置３６と、裏面読取用プラテンローラ２８とにより構成される。裏面読取用走査装置３６は、前記レジストローラ２３の駆動軸２３０を支点として揺動可能に支持された読取ユニット筐体３６０を備える。該読取ユニット筐体３６０内に、前記コンタクトガラス２８１に向け照射されるＬＥＤ等からなる光源３６１と、複数のミラー３６２，３６３，３６４，３６５と、集光レンズ３６６と、ＣＣＤ（チャージカップルドデバイス）３６７とが搭載されている。これによって、裏面読取用走査装置３６が構成される。すなわち、コンタクトガラス２８１の下面を通過中の原稿７は、光源３６１によってその裏面が照射され、裏面の原稿画像は、ミラー３６２，３６３，３６４，３６５で反射を繰り返し、集光レンズ３６６で集光され、ＣＣＤ３６７に結像され、電気信号に変換されて送出される。上記ＡＤＦ２を構成する一連の機構部を支持する支持体及び原稿排出トレイ３７は、プラテンカバー（原稿押圧板）も兼ね、図１の紙面奥側をヒンジ部として上下に開閉可能とされている。
【００２４】
前記ＡＤＦ２におけるピックアップローラ２１から下流側部分は、ヒンジピン２０１を支点として開閉可能なＡＤＦカバー２００によって覆われている。該ＡＤＦカバー２００の内側には、ピックアップローラ２１、給紙ローラ２２、レジストローラ対２３，２３１を構成するプレスローラ２３１及び第１の搬送ローラ対２４，２４１を構成するプレスローラ２４１が設置されている。また、ＡＤＦカバー２００の内側には、前記原稿の湾曲搬送路７０を構成する外側ガイド壁７０２の一部が形成されている、従って、ＡＤＦカバー２００を開けると（図１、図２の２点鎖線）、給紙ローラ２２とリタードローラ２２１とのニップ状態、レジストローラ対２３，２３１及び第１の搬送ローラ対２４，２４１のそれぞれのニップ状態が解除される。また、これにより、第２の搬送ローラ対２５，２５１に至る原稿搬送路８が開放され、内側のガイド壁７０１、リタードローラ２２１、レジストローラ２３及び第１の搬送ローラ２４が露出された状態となる。
【００２５】
前記裏面読取用走査装置３６の読取ユニット筐体３６０には、前述のようにコンタクトガラス２８１が取付けられ、また排出ローラ対２９，２９１を構成するプレスローラ２９１が支持され、その上部にはリタードローラ２２１が設置されている。また、該読取ユニット筐体３６０は、前述のとおり、前記レジストローラ２３の駆動軸２３０を支点として揺動可能に支持されている。従って、読取ユニット筐体３６０を図１及び図２の２点鎖線で示す位置に揺動変位させると、プラテンローラ２８とコンタクトガラス２８１とのニップ状態、及び排出ローラ対２９，２９１のニップ状態が解除される。前記ＡＤＦカバー２００の開操作、読取ユニット筐体３６０の揺動変位操作は、搬送路７０におけるジャム原稿の取出し、或いは各機構部等のメンテナンスの際になされる。
【００２６】
次に前記ＡＤＦ２を構成する機構部の駆動伝達機構について述べる。図３はリヤ側に設置される駆動伝達機構の概略構成図であり、リヤ側サイドフレーム２０２をリヤ側から見た状態を示している。該リヤ側サイドフレーム２０２には駆動源としてのモータ９が設置され、該モータ９の出力軸９０には出力ギヤ９１が固着され、該出力ギヤ９１には２個のアイドラギャ９２，９３が噛合っている。アイドラギャ９２には、２個のアイドラギヤ９４，９５がさらに噛合っており、アイドラギヤ９４には電磁クラッチ９６１付の駆動ギヤ９６が噛合い、該駆動ギヤ９６の出力側ギヤ９６２には、前記給紙ローラ２２の駆動軸２２０に固着された給紙ローラギヤ２２２が噛み合っている。給紙ローラギヤ２２２と駆動ギヤ９６との噛合いは、前記ＡＤＦカバー２が閉じられているときになされ、ＡＤＦカバー２が開けられたときには、この噛合いは解除される。この噛合い状態において、出力ギヤ９１→アイドラギヤ９２→アイドラギヤ９４→駆動ギヤ９６→出力側ギヤ９６２→給紙ローラギヤ２２２（給紙ローラ２２）の駆動伝達系が確立される。従って、モータ９が稼働中、電磁クラッチ９６１がオンされると、給紙ローラ２２が回転する。尚、リタードローラ２２１には、駆動ギヤ９６に対する不図示のギヤを介して駆動伝達がなされる。
【００２７】
前記アイドラギヤ９５には、電磁クラッチ２３２付レジストローラギヤ２３３が噛合っている。該レジストローラギヤ２３３は、レジストローラ２３の駆動軸２３０に対して、電磁クラッチ２３２のオン・オフによりロック・アンロック可能に取付けられている。このようなギヤ列によって、出力ギヤ９１→アイドラギヤ９２→アイドラギヤ９５→レジストローラギヤ２３３（レジストローラ２３）の駆動伝達系が確立される。従って、モータ９が稼働中、電磁クラッチ２３２がオンされると、駆動軸２３０をしてリヤ側サイドフレーム２０２及びフロント側サイドフレーム２０３（図４参照）に回転自在に支持されたレジストローラ２３が回転する。
【００２８】
アイドラギヤ９３には、排出ローラ２９の駆動軸２９０に固着された排出ローラギヤ２９２、及び裏面読取用プラテンローラ２８の駆動軸２８０に固着された裏面プラテンローラギヤ２８２が噛合っている。従って、出力ギヤ９１からアイドラギヤ９３を介した排出ローラギヤ２９２（排出ローラ２９）及び裏面プラテンローラギヤ２８２（裏面読取用プラテンローラ２８）への駆動伝達系が確立される。この駆動伝達系では、モータ９の可動中、駆動軸２９０，２８０をしてリヤ側サイドフレーム２０２及びフロント側サイドフレーム２０３に回転自在に支持された排出ローラ２９及び裏面読取用プラテンローラ２８が回転する。この場合、途中に電磁クラッチが介在しないから、モータ９の可動中、排出ローラ２９及び裏面読取用プラテンローラ２８が常時回転することになるが、電磁クラッチを介在させてこれらの回転のオン・オフ制御を行うよう構成しても良い。
【００２９】
前記アイドラギヤ９３は、タイミングプーリー部９３０を同心一体に備え、該タイミングプーリー部９３０にはタイミングベルト９７が巻き掛けられ、該タイミングベルト９７は電磁クラッチ２４２付タイミングプーリー２４３に巻き掛けられている。タイミングプーリー２４３は、第１の搬送ローラ２４の駆動軸２４０に対して、電磁クラッチ２４２のオン・オフによりロック・アンロック可能に取付けられている。タイミングベルト９７の途中には、テンションブラケット（不図示）に支持されたテンションローラ９７１が設置され、タイミングベルト９７にテンションが付与されている。従って、出力ギヤ９１から、アイドラギヤ９３（タイミングプーリー部９３０）、タイミングベルト９７を介したタイミングプーリー２４３（第１の搬送ローラ２４）への駆動伝達系が確立される。この駆動伝達系では、モータ９の可動中電磁クラッチ２４２がオンされると、駆動軸２４０をしてリヤ側サイドフレーム２０２及びフロント側サイドフレーム２０３に回転自在に支持された第１の搬送ローラ２４が回転する。
【００３０】
前記第１の搬送ローラ２４の駆動軸２４０は、ＡＤＦ２を横断するよう設置されその他端部はフロント側サイドフレーム２０３に回転自在に支持されている。図４はフロント側に設置される駆動伝達機構の概略構成図であり、フロント側サイドフレーム２０３をフロント側から見た状態を示している。このフロント側サイドフレーム２０３には、前記原稿搬送系８を構成する第１の搬送ローラ２４の駆動軸２４０の他、第２の搬送ローラ２５及び第３の搬送ローラ２７の各駆動軸２５０，２７０が回転可能に支持されている。また、表面読取用プラテンローラ２６の駆動軸２６０が回転可能に支持されている。フロント側サイドフレーム２０３より突出する第１の搬送ローラ２４、第２の搬送ローラ２５及び第３の搬送ローラ２７の各駆動軸２４０，２５０，２７０にはタイミングプーリー２４４，２５２，２７２が固着され、これらタイミングプーリー２４４，２５２，２７２にタイミングベルト９８が巻き掛けられている。従って、第１の搬送ローラ２４の駆動軸２４０から、タイミングベルト９８を介した第２の搬送ローラ２５及び第３の搬送ローラ２７への駆動伝達系が確立される。この駆動伝達系では、第１の搬送ローラ２４が駆動主体搬送ローラであり、第２及び第３の搬送ローラ２５，２７が被駆動搬送ローラとされる。第２の搬送ローラ２５の駆動軸２５０に固着されるタイミングプーリー２５２はギヤ２５３を同心一体に備え、該ギヤ２５３にはアイドラギヤ９９が噛合っている。さらに、アイドラギヤ９９には、表面読取用プラテンローラ２６の駆動軸２６０に固着された表面プラテンローラギヤ２６２が噛合っている。従って、前記モータ９が可動中、電磁クラッチ２４３がオンとされると、第１、第２及び第３の搬送ローラ２４，２５，２７と、表面読取用プラテンローラ２６とが回転する。
【００３１】
前記フロント側サイドフレーム２０３には、テンションブラケット１４を介して原稿のジャム解除ダイヤル１５が回転自在に支持されている。ジャム解除ダイヤル１５は、合成樹脂の成型体からなり、ダイヤル本体部１５１と、該ダイヤル本体部１５１と同心一体のプーリー部１５２とよりなる。ジャム解除ダイヤル１５は、テンションブラケット１４に固着されたスタッド１６に回転自在に支持され、プーリー部１５２の周体に前記タイミングプーリー９８が巻き掛けられている。テンションブラケット１４は、フロント側サイドフレーム２０３に対し、その板面に移動自在に取付られている。また、テンションブラケット１４に形成されたばね受部１４１と、フロント側サイドフレーム２０３に形成されたばね受部２０４との間に圧縮状態で圧縮ばね１７が介在されている。テンションブラケット１４は、この圧縮ばね１７の弾力を受け、プーリー部１５２に巻き掛けられたタイミングプーリー９８にテンションを付与する方向に弾力付勢された状態とされる。
【００３２】
前記テンションブラケット１４には前記テンション付与方向に沿った長孔１４２が形成され、該長孔１４２にはフロント側サイドフレーム２０３に形成された雌ねじ形成ボス２０５が、長孔１４２の長手方向に沿って相対移動可能に挿入されている。そして、該雌ねじ形成ボス２０５にはビス１４３がねじ込まれ、テンションブラケット１４がフロント側サイドフレーム２０３に対して前記テンション付与方向に沿った方向に位置移動可能に取付けられている。前記長孔１４２のテンション付与方向に沿った方向の前後には位置決め用長孔１４４，１４５が形成され、該長孔１４４，１４５には、フロント側サイドフレーム２０３に形成された位置決めピン２０６，２０７が長孔１４４，１４５の長手方向に沿って相対移動可能に挿入されている。これにより、テンションブラケット１４は前記圧縮ばね１７の弾力を受け、前記方向に弾力付勢された状態とされ、プーリー部１５２に巻き掛けられたタイミングプーリー９８には常にテンションが付与される。
【００３３】
前述のように、前記モータ９が可動中、電磁クラッチ２４３がオンとされると、第１の搬送ローラ２４が回転し、この回転はタイミングベルト９８を介して第２及び第３の搬送ローラ２５，２７と、表面読取用プラテンローラ２６とに伝達され、これらも回転する。このとき、ジャム解除ダイヤル１５も、タイミングベルト９８を介してスタッド１６の周りに回転する。また、電磁クラッチ２４３がオフのときには、第１の搬送ローラ２４の駆動軸２４０はフリー回転可能とされるから、第１、第２及び第３の搬送ローラ２４，２５，２７、表面読取用プラテンローラ２６及びジャム解除ダイヤル１５がフリー回転可能とされる。従って、ジャム解除ダイヤル１５を手操作によって回転させることにより、第１、第２及び第３の搬送ローラ２４，２５，２７と、表面読取用プラテンローラ２６とを回転させることができる。これにより、原稿搬送路７０でのジャム原稿の取出しが容易かつ確実になされる。
【００３４】
すなわち、前記ジャム解除ダイヤル１５のダイヤル本体部１５１の一部が前記内側ガイド壁７０１より上方に突出するよう設置されており、ＡＤＦカバー２００を開けるとジャム解除ダイヤル１５がオペレータによる回転手操作が可能な状態とされる。そして、給紙ローラ２２とリタードローラ２２１の対から第２の搬送ローラ対２５，２５１の上流側の領域で原稿の詰まりが発生している場合は、ＡＤＦカバー２００を図１及び図２の２点鎖線に示すように開けると、この部分のジャム原稿を容易に取出すことができる。しかし、第２の搬送ローラ対２５，２５１から排出ローラ対２９，２９１までの領域で原稿詰まりが発生しているときには、ＡＤＦカバー２００を開けただけでは、この領域における各ローラ等のニップ状態は解除されないのでジャム原稿の取出しは困難である。そこで、前記裏面読取用走査装置３６の読取ユニット筐体３６０を、前記レジストローラ２３の駆動軸２３０を支点として、図１及び図２に示す２点鎖線位置に揺動変位させる。この揺動変位状態では、裏面読取用プラテンローラ２８とコンタクトガラス２８１とのニップ状態、及び排出ローラ対２９，２９１のニップ状態が解除される。この状態で、ジャム解除ダイヤル１５のダイヤル本体部１５１を手操作により回転させると、タイミングベルト９８を介して第２搬送ローラ２５、表面読取用プラテンローラ２６及び第３の搬送ローラ２７が強制回転され、ジャム原稿は排出トレイ３５に向けスムースに強制搬送及び排出される。この場合、ジャム解除ダイヤル１５は正逆いずれの方向にも回転させることができるが、原稿が搬送される方向に回転させる方が、途中に配されるセンサフィラー等が障害となることがなく望ましい。
【００３５】
このように、ジャム解除ダイヤル１５は、第１、第２及び第３の搬送ローラ２４，２５，２７を駆動する為のタイミングベルト９８による駆動伝達系に組み入れ介在させるだけであるから、搬送ローラ２４，２５，２７を駆動させる為のタイミングベルト９８がジャム処理の機構をも構成することになり、部品点数の増大を伴うことがない。また、ジャム解除ダイヤル１５がタイミングベルト９８のテンション付与機能も兼ねるから、複数の搬送ローラの駆動伝達をベルトによって行うようにした既存の用紙搬送系にも簡易に適用することができる。そして、実施形態のように、ＡＤＦ２における原稿搬送系８に適用した場合、限られたスペースの中に、多くの機構部用の駆動伝達系が組み込まれて構成されるから、前述のように簡易に構成される実益は極めて大である。また、実施形態のように裏面原稿のＡＤＦ読取部３５も装備されたＡＤＦ２においては、一層前記スペースが制約されることになる為、特に有益である。
【００３６】
尚、ＡＤＦ２における原稿搬送系８を構成する第１、第２及び第３搬送ローラ２４，２５，２７において、これらを駆動させるタイミングベルト９８による駆動伝達機構にジャム解除ダイヤル１５を組込んだ例について述べたが、記録紙の搬送系にも適用することができる。また、図１では、電子写真装置による画像記録部を備えた画像形成装置を例示したが、インクジェット方式、その他の画像記録部を備えた画像形成装置における原稿若しくは記録紙の搬送系にも本発明を適用することもできる。更に、画像記録部は、モノクロに限らず、カラーであっても良い。加えて、電子写真方式による画像記録部は、クリーナレスシステムに限らず、クリーニングシステムのものでも良く、現像方式も非磁性一成分又は二成分、いずれの方式であっても良い。
【図面の簡単な説明】
【００３７】
【図１】本発明に係る一実施形態の画像形成装置を示す概略的縦断面図である。
【図２】図１におけるＸ部に相当するＡＤＦ部の拡大断面図である。
【図３】図２のＡＤＦを構成する各機構部のリヤ側に構成された駆動伝達機構の構成図である。
【図４】同フロント側に構成された駆動伝達機構の構成図である。
【図５】図４におけるＹ−Ｙ線矢視拡大断面図である。
【符号の説明】
【００３８】
１      画像形成装置
２      自動原稿送り装置（ＡＤＦ）
７      原稿（用紙）
８      原稿（用紙）搬送系
９      モータ（駆動源）
１４    テンションブラケット（ブラケット）
１５    ジャム解除ダイヤル
１５１  ダイヤル本体部
１５２  プーリー部
２０    原稿トレイ（原稿堆積部）
２４    第１の搬送ローラ（駆動主体搬送ローラ）
２５    第２の搬送ローラ（被駆動搬送ローラ）
２７    第３の搬送ローラ（被駆動搬送ローラ）
３１    ＡＤＦ読取部（画像読取部）
３５    裏面原稿のＡＤＦ読取部（画像読取部）
９８    タイミングベルト（ベルト）
【図１】
2010041464.tif 000003
【図２】
2010041464.tif 000004
【図３】
2010041464.tif 000005
【図４】
2010041464.tif 000006
【図５】
2010041464.tif 000007